(57)【要約】【課題】ユーザがリモコンの操作時の不具合を、より正確且つ容易に検出可能な表示装置を実現する。【解決手段】テレビ（１）は、リモコン信号を受信するリモコン受光部（１１）と、リモコン（２）を示すリモコン情報およびテレビ（１）の動作を制限する制限情報のうち少なくとも何れかの設定情報を管理する本体設定確認部（１３３）と、上記リモコン信号に含まれるリモコンコードと共に、上記設定情報を表示部（１５）に表示する表示制御部（１４）とを備える。【選択図】図１
2014103659.tif 000002
【特許請求の範囲】
【請求項１】
リモートコントローラによって操作される表示装置であって、
上記リモートコントローラからのリモコン信号を受信する受信手段と、
当該表示装置に設定された設定情報であって、当該表示装置を操作可能なリモートコントローラを示すリモコン情報および当該表示装置の動作を制限する制限情報のうち少なくとも何れかの設定情報を管理する設定情報管理手段と、
上記受信手段が受信したリモコン信号に含まれるリモコンコードと共に、上記設定情報管理手段が管理する上記設定情報を表示部に表示する表示制御手段と、を備えていることを特徴とする表示装置。
【請求項２】
上記表示制御手段は、上記受信手段が上記リモコン信号を受信している間、当該リモコン信号を受信していることを示す受信情報を上記リモコンコードと共に上記表示部に表示することを特徴とする請求項１に記載の表示装置。
【請求項３】
上記表示制御手段は、上記受信情報としてステータスバーを上記表示部に表示すると共に、上記受信手段が上記リモコン信号を受信している間、当該ステータスバーの端部を一定方向に移動させることを特徴とする請求項２に記載の表示装置。
【請求項４】
上記表示制御手段は、上記受信手段が上記リモコン信号を受信していない場合、当該リモコン信号を受信していないことを示す画像を上記表示部に表示することを特徴とする請求項１から３のいずれか１項に記載の表示装置。
【請求項５】
上記受信手段が上記リモコン信号を受信している間、当該リモコン信号を受信していることを示す音声を出力する音声出力手段をさらに備えることを特徴とする請求項１から４のいずれか１項に記載の表示装置。
【請求項６】
上記受信手段が受信したリモコン信号に含まれるリモコン情報が、上記設定情報に含まれるリモコン情報に一致するか否かを判定する判定手段をさらに備え、
上記音声出力手段は、上記判定手段により一致しないと判定された場合に、音声を出力することを特徴とする請求項５に記載の表示装置。
【請求項７】
上記制限情報とは、上記リモートコントローラによる複数の操作の少なくとも何れか、または上記表示装置に備えられた複数のキーによる操作の少なくとも何れかを無効とする操作無効機能の設定を示す情報であることを特徴とする請求項１から６のいずれか１項に記載の表示装置。
【請求項８】
上記表示装置に備えられた複数のキーのうち、特定のキーの入力により、当該表示装置を、上記リモートコントローラの状態を確認するためのテストモードへ移行させる移行手段を更に備え、
上記表示制御手段は、上記移行手段が、上記テストモードへ当該表示装置を移行させた後に、上記リモコンコードと上記設定情報とを上記表示部に表示することを特徴とする請求項１から７の何れか１項に記載の表示装置。
【請求項９】
請求項１から８の何れか１項に記載の表示装置を含むことを特徴とするテレビジョン受像機。
【発明の詳細な説明】
【技術分野】
【０００１】
本発明は、リモートコントローラによって操作される表示装置に関する。また、そのような表示装置を含むテレビジョン受像機に関する。
【背景技術】
【０００２】
テレビジョン受像機等のＡＶ機器の操作には、多くの場合においてリモートコントローラ（以下、リモコンと呼ぶ）が使用されている。このようなリモコンにおいて、例えば、操作対象となる機器がリモコンの操作に従った動作を行わない等の、不具合が発生した場合、当該不具合を表示する技術が開示されている。
【０００３】
例えば、特許文献１には、リモートコントロール信号（以下、リモコン信号と呼ぶ）をパルス信号に変換し、当該パルス信号が正常なコードである場合には、正常信号を出力し、異常なコードである場合には、異常信号を出力し、出力した信号を用いて受信状態の正常または異常を表示するリモコン信号の受信機器が開示されている。
【０００４】
また、特許文献２には、リモコン信号が正常に受信されなくなる原因として予め想定された複数種の原因を示す表示情報を記憶し、当該表示情報のうち、パルス幅やパルス間隔からリモコン信号の受信不良の原因と判別した原因を表示するリモートコントロール装置が開示されている。
【０００５】
また、特許文献３には、リモコンコードの妥当性のチェックを行い、他の装置に対する制御用のコードであった場合には、記憶されている文章データから必要とするデータを取り出して表示させる磁気記憶再生装置が開示されている。
【０００６】
また、リモコンに障害が発生した場合、製品のメンテナンスを行うサービスパーソンが、操作対象となる機器の設置場所に行き、当該製品を、製品の動作モードを確認するためのモードに移行させ、メンテナンスを行う場合がある。
【０００７】
例えば、特許文献４には、サービスメニュー画面を表示し、製品のＥＥＰＲＯＭ（登録商標）データをリモコンで変更できる装置が記載されている。
【０００８】
また、特許文献５には、サービスモードへ移行させるためのキーをリモコンに登録する表示装置が記載されている。
【先行技術文献】
【特許文献】
【０００９】
【特許文献１】特開平５−３０８６８２号公報（１９９３年１１月１９日公開）
【特許文献２】特開２００６−６７０２２号公報（２００６年３月９日公開）
【特許文献３】特開平４−１７７９９６号公報（１９９２年６月２５日公開）
【特許文献４】特開平１１−３３１７６７号公報（１９９９年１１月３０日公開）
【特許文献５】特開２０１２−１０００７５号公報（２０１２年５月２４日公開）
【発明の概要】
【発明が解決しようとする課題】
【００１０】
ユーザがテレビに対してリモコン操作を行なっても、テレビの操作ができない場合がある。原因の特定が困難な場合、ユーザがテレビメーカに問合せし、サービスパーソンが訪問して対応することも行なわれている。例えば訪問したユーザ宅でサービスパーソンが、テレビを操作できないという障害が発生したとされるリモコンを調査すると、リモコンには問題がない場合がある。例えば、テレビ側の設定がリモコン信号を受け付けない設定になっている場合や、何らかの原因でリモコンのモード設定コード（以下、リモコン番号という）がテレビ側で設定されたリモコン番号と一致しない状態の発生等がある。また、赤外線リモコンや電波リモコンの通信に何らかの障害が発生しテレビ側で正常にリモコン信号が受信できない場合がある。
【００１１】
上述の従来技術は、リモコンに障害が発生していることを前提にした技術であるため、リモコンが正常である場合に生じる不具合である、上記のような場合を簡単にはチェックできない。そのため、正常なリモコンであっても、不良品と判断されてしまうという問題がある。
【００１２】
本発明は上記問題に鑑みてなされたものであり、その目的は、ユーザやサービスパーソンがリモコン操作時の不具合の原因や、通信状態をより正確且つ容易に検出することが可能な表示装置を実現することにある。
【課題を解決するための手段】
【００１３】
上記の課題を解決するために、本発明の一態様に係る表示装置は、リモートコントローラによって操作される表示装置であって、上記リモートコントローラからのリモコン信号を受信する受信手段と、当該表示装置に設定された設定情報であって、当該表示装置を操作可能なリモートコントローラを示すリモコン情報および当該表示装置の動作を制限する制限情報のうち少なくとも何れかの設定情報を管理する設定情報管理手段と、上記受信手段が受信したリモコン信号に含まれるリモコンコードと共に、上記設定情報管理手段が管理する上記設定情報を表示部に表示する表示制御手段と、を備えていることを特徴としている。
【発明の効果】
【００１４】
本発明の一態様によれば、ユーザやサービスパーソンは、リモコン操作時の不具合を、より正確且つ容易に検出することができる。
【図面の簡単な説明】
【００１５】
【図１】本発明の実施形態１に係るテレビの構成を示すブロック図である。
【図２】リモコン操作時に不具合が生じた際に、サービスパーソンが確認する確認項目および当該確認項目を確認した後の動作の一例を示す図である。
【図３】テレビにおけるテストモードへの移行の流れを示すフローチャートである。
【図４】テレビにおけるテストモードの終了の流れを示すフローチャートである。
【図５】テストモード状態におけるテレビの処理の流れを示すフローチャートである。
【図６】テストモード状態において、表示部に表示される画面の一例を示す図である。
【図７】本発明の実施形態２に係るテレビの構成を示すブロック図である。
【図８】本発明の実施形態２に係るテレビがテストモード状態において実行する処理の流れを示すフローチャートである。
【図９】本発明の実施形態２に係るテレビがテストモード状態において、リモコン番号およびチャイルドロック設定を確認する処理の流れを示すフローチャートである。
【図１０】（ａ）は、リモコンが正常に動作する設定において、リモコンの何れかのボタンが長押しされている場合に表示部に表示される画面の一例であり、（ｂ）は、テレビがリモコン信号を受信していない場合に表示部に表示される画面の一例である。
【図１１】テレビに設定されたリモコン番号と、リモコンに設定されたリモコン番号とが一致していない場合に表示部に表示される画面の一例であり、（ｂ）は、テレビのチャイルドロック設定としてリモコン操作ロックが設定されている場合に表示部に表示される画面の一例である。
【図１２】本発明の実施形態３に係るテレビがテストモード状態において実行する処理の流れを示すフローチャートである。
【発明を実施するための形態】
【００１６】
本発明に係る一実施形態について、以下に説明する。本発明に係る表示装置は、テレビジョン受像機（以下、テレビと呼ぶ）として使用することができる。
【００１７】
（テレビの構成）
図１は、本発明の一実施形態に係るテレビ（表示装置）の構成を示すブロック図である。テレビ１は、図１に示すように、リモコン受光部（受信手段）１１、指示受付部１２、制御部１３、表示制御部（表示制御手段）１４、表示部１５およびボリュームキー１６を備えている。また、テレビ１は、リモートコントローラ２（以下、リモコン２と呼ぶ）によって操作される。なお、図１に示すブロック図は、テレビ１が有する各種機能のうち、本発明に特有なものを表現したものであり、テレビ１が、図１に示されていない機能を有していてもよいことは言うまでもない。
【００１８】
リモコン受光部１１は、リモコン２からのリモコン信号を受信する。リモコン信号は、例えば、赤外線などの光で受信することができるが、これに限定されるものではない。リモコン受光部１１は、受信したリモコン信号を、制御部１３に送信する。
【００１９】
ボリューム（音量）キー１６は、テレビ１のボリューム（音量）を変更するために用いられる入力手段である。指示受付部１２は、ボリュームキー１６からのボリューム変更指示を受け付け、制御部１３に送信する。また、指示受付部１２は、ボリュームキー１６以外のキーであって、テレビ１に備えられた複数のキーのそれぞれから、操作指示を受け付け、制御部１３に送信する。
【００２０】
制御部１３は、テレビ１内の各種構成を統括的に制御するものである。制御部１３の機能は、例えばＲＡＭ（Ｒａｎｄｏｍ  Ａｃｃｅｓｓ  Ｍｅｍｏｒｙ）やフラッシュメモリなどの記憶装置に記憶されたプログラムをＣＰＵ（Ｃｅｎｔｒａｌ  Ｐｒｏｃｅｓｓｉｎｇ  Ｕｎｉｔ）が実行することによって実現される。制御部１３の構成については、後述する。
【００２１】
表示制御部１４は、制御部１３からの指示に基づき、テストモード画面を表示部１５に表示させるものである。
【００２２】
表示部１５は、表示制御部１４の制御により、テストモード画面を表示する表示デバイスである。表示部１５の例としては、液晶ディスプレイ、有機ＥＬ（Electro Luminescence）ディスプレイ、プラズマディスプレイ等が挙げられる。なお、表示部１５は、図示しないアンテナが受信したテレビ放送や電子番組表を表示するものであってもよいことは言うまでもない。
【００２３】
（制御部１３）
次に、制御部１３について説明する。制御部１３は、図１に示すように、テストモード処理部（移行手段、判定手段）１３１、押下時間判定部１３２、本体設定確認部（設定情報管理手段）１３３およびボリューム調整部１３４を備えている。
【００２４】
テストモード処理部１３１は、テレビ１に備えられた複数のキーのうち、特定のキーの入力により、テレビ１をテストモードへ移行させるものである。具体的には、チャイルドロックモードおよびホテルモードではない場合、ボリューム調整部１３４からボリュームが０である旨の通知を受け取ってから３０秒以内に、押下時間判定部１３２からボリュームキー１６が長押しされた旨の通知を受け取ると、テレビ１をテストモードへ移行させる。また、チャイルドロックモードまたはホテルモードの場合、押下時間判定部１３２からボリュームキー１６が長押しされた旨の通知を受け取ると、テレビ１をテストモードへ移行させる。ここで、テストモードとは、ユーザがリモコン２の状態を確認するためのモードである。
【００２５】
チャイルドロックモードとは、例えば、テレビ１の本体キー（例えば、ボリュームキー１６）がロックされた状態（例えば、「チャイルドロック」設定が「本体操作ロック」状態等）、リモコン２のボタンの操作が無効の状態（例えば、「チャイルドロック」設定が「リモコン操作ロック」）等を示している。また、ホテルモードとは、（１）テレビ１の本体キーがロックされた状態（例えば、「ＰＵＢＬＩＣ  ＭＯＤＥ」における「ＰＡＮＥＬ  ＢＵＴＴＯＮ」設定が「ＮＯ  ＲＥＳＰＯＮＤ」）、（２）ボリュームを固定した状態（例えば、「ＰＵＢＬＩＣ  ＭＯＤＥ」における「ＶＯＬＵＭＥ  ＦＩＸＥＤ」設定が「ＦＩＸＥＤ」）、（３）音量バーを表示しない状態（例えば、「ＰＵＢＬＩＣ  ＭＯＤＥ」における「ＯＮ  ＳＣＲＥＥＮ  ＤＩＳＰＬＡＹ」設定が「ＮＯ」）を示している。
【００２６】
また、テストモード処理部１３１は、テレビ１をテストモードからログアウトさせるための処理を行う。
【００２７】
押下時間判定部１３２は、指示受付部１２がボリュームキー１６から受け付けたボリューム変更指示から、ボリュームキー１６が所定時間以上、押下されているか否かを判定するものである。そして、押下時間判定部１３２は、上記ボリュームキー１６が所定時間以上、押下されている（長押しされている）と判定すると、その旨をテストモード処理部１３１へ通知する。また、押下時間判定部１３２は、リモコン２の複数のボタンの何れかが、所定の期間長押しされているか否かを判定し、所定の期間長押しされていると判定すると、その旨をテストモード処理部１３１へ通知する。
【００２８】
本体設定確認部１３３は、テレビ１に設定された設定情報を管理する。設定情報には、テレビ１を操作可能なリモコンを示す情報（リモコン情報）、テレビ１の動作を制限する情報（制限情報）等が含まれる。ここで、リモコン情報とは、例えば、リモコン番号が挙げられる。また、制限情報とは、例えば、チャイルドロックが設定されているか否かの情報が挙げられる。なお、設定情報に含まれる情報はこれに限定されるものではない。設定情報は、リモコン情報および制限情報のうち少なくとも何れかの情報を含むものであればよい。
【００２９】
また、本体設定確認部１３３は、管理している設定情報を確認し、確認結果をテストモード処理部１３１に供給する。
【００３０】
ボリューム調整部１３４は、指示受付部１２からのボリューム変更指示に従い、テレビ１のボリュームを調整する手段である。また、ボリューム調整部１３４は、テレビ１のボリュームが０であるか否かを確認し、ボリュームが０である場合、その旨をテストモード処理部１３１へ通知する。
【００３１】
（不具合に対する確認項目について）
例えば、リモコン２のボタン（キー）を押下してもテレビ１が動作しない、テレビ１がリモコン２における押下したボタンとは異なる動作を行う等といった不具合が発生した場合、サービスパーソンが確認する項目を図２に示す。図２は、リモコン２の操作時に不具合が生じた際に、サービスパーソンが確認する確認項目および当該確認項目を確認した後の動作の一例を示す図である。なお、図２に示す確認項目は、本実施形態を限定するものではない。また、図２に示す確認項目を確認するのは、サービスパーソンに限定されず、例えば、ユーザがコールセンター等の指示に従って、確認してもよい。
【００３２】
まず、サービスパーソンは、テレビ１のモードがテストモードか否か（テレビ１がテストモードに入っているか否か）を確認する（確認項目の項目番号１、以下、項目１と呼ぶ）。テストモードに入っている場合（項目１においてＹＥＳの場合）、サービスパーソンは、項目２の確認に進む。テストモードに入っていない場合（項目１においてＮＯの場合）、サービスパーソンは、テレビ１をテストモードに移行させ（テレビ１をテストモードに入らせ）、項目２の確認に進む。
【００３３】
次に、サービスパーソンは、テレビ１を操作しているリモコン２が、所定のメーカー製（便宜上、本明細書においてＡ社製と表記する）のリモコンであるか否かを確認する（項目２）。Ａ社製のリモコンである場合（項目２においてＹＥＳの場合）、サービスパーソンは、項目３の確認に進む。Ａ社製のリモコンではない場合（項目２においてＮＯの場合）、サービスパーソンは、他の方法でリモコンの操作時の不具合を確認する。なお、本例においては、テレビ１はＡ社製のリモコンでのみ動作することを例に説明を行う。そのため、Ａ社製のリモコンでない場合、サービスパーソンは、当該リモコンではテレビ１を操作できないと判断してもよい。なお、本例は一例であり、Ａ社製のリモコンでない場合でも図２と同様の確認項目で、リモコン２にどのような不具合が発生しているのかを確認することも可能である。
【００３４】
次に、リモコン２がテレビ１に接続されたレコーダ等に対応するリモコン（レコーダリモコン）である場合、サービスパーソンは、当該リモコンがテレビ１を操作可能な状態であるか否かを確認する。具体的には、例えば、操作される機器を選択するスイッチが備えられたリモコンの場合、当該リモコンによって操作される機器を選択するスイッチがテレビ１を選択しているか否かを確認する（項目３）。リモコン２がテレビ１を操作可能な状態である場合（項目３においてＹＥＳの場合）、サービスパーソンは、項目４の確認に進む。リモコン２がテレビ１を操作可能な状態でない場合（項目３においてＮＯの場合）、サービスパーソンは、リモコン２がテレビ１を操作可能な状態にする。具体的には、例えば、操作される機器を選択するスイッチが備えられたリモコンの場合、当該リモコンによって操作される機器がテレビ１になるようにスイッチを切り替える。サービスパーソンは、その後、項目４の確認に進む。
【００３５】
次に、サービスパーソンは、リモコン２の複数のボタンのうち、何れのボタンも押下していない状態で、リモコン２をテレビ１に向けると、リモコン信号に含まれるリモコンコードがテレビ１の画面に表示されるか否かを確認する（項目４）。画面にリモコンコードが表示される場合（項目４においてＹＥＳの場合）、サービスパーソンは、リモコン２が故障していると判断する。具体的には、サービスパーソンは、リモコン２のボタンが押下されていない状態において、ボタンが押下された状態と同じ状態（ボタン押下状態）であるという故障が発生していると判断する。画面にリモコンコードが表示されない場合（項目４においてＮＯの場合）、サービスパーソンは、項目５の確認に進む。
【００３６】
次に、サービスパーソンは、リモコン２の複数のボタンのうち、何れかのボタンを押下すると、テレビ１の画面にリモコンコードが表示されるか否かを確認する（項目５）。このように、テストモードのときに、テレビ１が受信したリモコンコードが画面に表示されるか否かによって、リモコン２がリモコンコードを発信しているか、および、テレビ１がリモコンコードを受信しているかを確認することができる。画面にリモコンコードが表示される場合（項目５においてＹＥＳの場合）、サービスパーソンは、項目８の確認に進む。画面にリモコンコードが表示されない場合（項目５においてＮＯの場合）、サービスパーソンは、項目６の確認に進む。
【００３７】
項目５においてＮＯの場合、サービスパーソンは、電池が正しくリモコン２に入れられているか否かを確認する（項目６）。電池が正しく入れられている場合（項目６においてＹＥＳの場合）、サービスパーソンは、項目７の確認に進む。電池が正しく入れられていない場合（項目６においてＮＯの場合）、サービスパーソンは、不具合の原因が電池の逆挿入等といった電池の入れ間違いであると判断する。なお、サービスパーソンは、電池を正しく入れて、更に項目４以降を再度確認することにより、他の不具合が発生していないかを確認してもよい。
【００３８】
次に、サービスパーソンは、リモコン２の電池を新しい電池に入れ替えた後に、リモコン２の複数のボタンのうち何れかのボタンを押下すると、テレビ１の画面にリモコンコードが表示されるか否かを確認する（項目７）。画面にリモコンコードが表示される場合（項目７においてＹＥＳの場合）、サービスパーソンは、不具合の原因が電池切れであったと判断する。なお、サービスパーソンは、不具合の原因が電池切れであったと判断した後に、更に項目８以降を確認することにより、他の不具合が発生していないかを確認してもよい。画面にリモコンコードが表示されない場合（項目７においてＮＯの場合）、サービスパーソンは、リモコン２が故障している可能性があると判断する。
【００３９】
項目５においてＹＥＳの場合、サービスパーソンは、リモコン番号がリモコン２とテレビ１とで一致しているか否かを確認する（項目８）。具体的には、テレビ１に表示されたリモコン番号がリモコン２側で設定しているリモコン番号と一致しているか否かを確認する。
【００４０】
リモコン番号がリモコン２とテレビ１とで一致している場合（項目８においてＹＥＳの場合）、サービスパーソンは、項目９の確認に進む。リモコン番号がリモコン２とテレビ１とで一致していない場合（項目８においてＮＯの場合）、サービスパーソンは、不具合の原因がリモコン番号の設定によるものであると判断する。判断後、サービスパーソンは、リモコン２がリモコン番号を有している場合（例えば、リモコン２が一般財団法人家電製品協会のフォーマットに準じたリモコンの場合）、リモコン２のリモコン番号をテレビ１に表示されたリモコン番号に変更する、または、テレビ１に設定されたリモコン番号を、リモコン２のリモコン番号に変更することにより、不具合を解決することができる。なお、サービスパーソンは、リモコン番号を変更した後に、更に項目８以降を確認することにより、他の不具合が発生していないかを確認してもよい。
【００４１】
次に、サービスパーソンは、画面に表示されたリモコンコードが、コードリスト（キーコード表）の記載のリモコンコードであって、リモコン２の複数のボタンのうちサービスパーソンが押下したボタンに対応するリモコンコードと一致するか否かを確認する（項目９）。
【００４２】
ここで、コードリストとはリモコンコードのリストであり、リモコン２の機種ごとに更新されるものである。
【００４３】
リモコンコードが一致している場合（項目９においてＹＥＳの場合）、サービスパーソンは、リモコン２は正常であると判断する。リモコンコードが一致していない場合（項目９においてＮＯの場合）、サービスパーソンは、項目１０の確認に進む。
【００４４】
なお、項目９において、例えば、ユーザがコールセンターの指示に従って図２に示す項目を確認している場合、（１）ユーザが、押下したボタンと、テレビ１に表示されたリモコンコードとをコールセンターに伝え、（２）コールセンターが、リモコンコードが一致しているか否かを確認し、（３）コールセンターが、確認結果をユーザに伝える、ことにより、ユーザは、リモコンコードが一致しているか否かを確認してもよい。
【００４５】
次に、サービスパーソンは、テレビ１に設定されたロックの設定を解除することにより、リモコン２の操作時の不具合が解消するか否かを確認する。例えば、テレビ１の複数のキーの操作の無効（テレビ１のチャイルドロック）の設定を解除することにより、画面に表示されたリモコンコードとリモコン２の複数のボタンのうちサービスパーソンが押下したボタンに対応するリモコンコードとが一致するか否かを確認する。なお、サービスパーソンは、リモコン２の複数のボタンの操作の無効（リモコン２のチャイルドロック）の設定等が行われている場合に、当該設定の解除をすることにより、画面に表示されたリモコンコードとリモコン２の複数のボタンのうちサービスパーソンが押下したボタンに対応するリモコンコードとが一致するか否かを確認してもよい。また、テレビ１のチャイルドロックおよびリモコン２のチャイルドロックの設定の両方を解除することにより、画面に表示されたリモコンコードとリモコン２の複数のボタンのうちサービスパーソンが押下したボタンに対応するリモコンコードとが一致するか否かを確認してもよい。
【００４６】
リモコン２の操作時の不具合が解消する場合（項目１０においてＹＥＳの場合）、サービスパーソンは、不具合の原因がテレビ１の設定によるものであると判断する。リモコン２の操作時の不具合が解消しない場合（項目１０においてＮＯの場合）、サービスパーソンは、リモコン２が故障していると判断する。具体的には、サービスパーソンは、リモコン２が誤ったリモコンコードをテレビ１に送信している不具合（コード誤送信不具合）が発生していると判断する。コード誤送信不具合とは、例えば、リモコン２のボリュームアップボタンを押下したとき、テンキーの４に対応するリモコンコードが、テレビ１に送信されている、という不具合である。
【００４７】
このように、テストモードを使用することにより、例えば、リモコンのボタンが効かないという不具合に対し、サービスパーソンは、図２の網掛け部分の判断結果（項目７のＹＥＳおよびＮＯの場合、項目８のＮＯの場合、項目１０のＹＥＳの場合）を得ることができる。また、例えば、テレビ１がリモコン２における押下したボタンとは異なる動作を行うという不具合に対し、サービスパーソンは、図２の斜線の部分の判断結果（項目１０のＮＯの場合）を得ることができる。また、例えば、リモコン２のボタンを何も押下していない状態で、リモコン２をテレビ１に向けただけで勝手にテレビ１が動作する、という不具合に対し、サービスパーソンは、図２の黒の点状模様の部分の判断結果（項目４のＹＥＳの場合）を得ることができる。
【００４８】
（テストモードへの移行方法について）
次に、図３を参照して、テレビ１におけるテストモードへの移行方法について説明する。図３は、テレビ１におけるテストモードへの移行の流れを示すフローチャートである。
【００４９】
本実施形態において、テレビ１をテストモードに移行させるために、まず、サービスパーソン（ユーザ）は、テレビ１の電源をオンにし、テレビ１の音量を操作できる状態にする。テレビ１の音量を操作できる状態とは、音量バーがテレビ１に表示される状態であり、本例では、メニュー画面が表示されていない状態であるとする。そのため、サービスパーソンは、テレビ１をテストモードに移行させるために、テレビ１にメニュー画面が表示されている場合には、メニュー画面を表示しない旨の指示（メニュー解除指示）をテレビ１に対して行う。メニュー解除指示は、テレビ１のメニューボタン（図示しない）の押下、ボリュームキー１６の押下など、テレビ１に備えられた複数のキーによる操作によって行われてもよいし、そのほかの方法で行われてもよい。
【００５０】
テレビ１の電源がオンの状態において、テレビ１の指示受付部１２は、メニュー解除指示を受信したか否かを確認する（ステップＳ３１。以下、単にＳ３１とする）。メニュー解除指示を受信している場合（Ｓ３１にてＹｅｓ）、制御部１３は、メニュー画面を解除する指示を表示制御部１４に通知する。表示制御部１４は、表示部１５に表示されているメニュー画面を表示しないよう制御する（Ｓ３２）。
【００５１】
Ｓ３２後、または、Ｓ３１にてＮｏの場合、テレビ１の本体設定確認部１３３は、テレビ１の設定が、本体キーが効かない、または、音量バーが表示されないモードであるか否かを確認する（Ｓ３３）。ここで、本体キーが効かない、または、音量バーが表示されないモードとは、例えば、テレビ１のチャイルドロック（本体ロック）モード、ホテル（Ｐｕｂｌｉｃ）モード等が挙げられるがこれに限定されるものではない。
【００５２】
テレビ１の設定が、チャイルドロックモードおよびホテルモードではない場合（Ｓ３３にてＮｏ）、テレビ１のテストモード処理部１３１は、指示受付部１２がボリュームを小さくするボリューム変更指示（ボリュームダウン指示）を受け付けたか否かを確認する（Ｓ３４）。ボリュームダウン指示を受け付けていない場合（Ｓ３４にてＮｏ）、Ｓ３４を繰り返す。このように、ボリュームが０であっても、ボリュームダウン指示を受け付けていない場合には、テストモードに移行することがない。これにより、テストモード移行前からボリュームが０の状態のときに、誤ってテストモードへ移行するということを防ぐことができる。
【００５３】
ボリュームダウン指示を受け付けた場合（Ｓ３４にてＹｅｓ）、ボリューム調整部１３４は、テレビ１のボリュームが０か否かを確認する（Ｓ３５）。ボリュームが０でない場合（Ｓ３５にてＮｏ）、ボリューム調整部１３４は、指示受付部１２が受け付けたボリュームダウン指示に従い、ボリュームを下げる（Ｓ３６）。そして、テレビ１は、Ｓ３５に処理を戻す。
【００５４】
ボリュームが０の場合（Ｓ３５にてＹｅｓ）、テストモード処理部１３１はボリュームキー１６が押下されていないかを確認する（Ｓ３７）。具体的には、テストモード処理部１３１は、指示受付部１２がボリュームキー１６からのボリューム変更指示を受け付けていないかを確認する。ボリュームキー１６が押下されている場合（Ｓ３７にてＮｏ）、Ｓ３７を繰り返す。
【００５５】
このように、ボリュームが０になった後に、ボリュームキーが押下されていないことを確認することにより、ボリュームキーが長押しされた時などに、誤ってテストモードへ移行するということを防ぐことができる。
【００５６】
ボリュームキー１６が押下されていない場合（Ｓ３７にてＹｅｓ）、テストモード処理部１３１は、ボリュームキー１６が押下されなくなってから所定の期間（例えば、３０秒）が経過したか否かを確認する（Ｓ３８）。ボリュームキー１６が押下されなくなってから所定の期間が経過した場合（Ｓ３８にてＹｅｓ）、テレビ１はテストモードへの移行処理を中止（終了）する。
【００５７】
ボリュームキー１６が押下されなくなってから所定の期間が経過していない場合（Ｓ３８にてＮｏ）、押下時間判定部１３２は、ボリュームキーが所定の期間（例えば、５秒以上）長押しされたか否かを判定する（Ｓ３９）。ボリュームキーが所定の期間長押しされていない場合（Ｓ３９にてＮｏ）、テレビ１は、処理をＳ３８に戻す。
【００５８】
テレビ１の設定が、チャイルドロックモードまたはホテルモードの場合（Ｓ３３にてＹｅｓ）、押下時間判定部１３２は、ボリュームキーが所定の期間（例えば、５秒以上）長押しされたか否かを判定する（Ｓ４０）。ボリュームキーが５秒以上長押しされていない場合（Ｓ４０にてＮｏ）、Ｓ４０を繰り返す。
【００５９】
ボリュームキーが所定の期間長押しされた場合（Ｓ３９にてＹｅｓ、または、Ｓ４０にてＹｅｓ）、テストモード処理部１３１は、テレビ１をテストモードへ移行させる。
【００６０】
なお、上記のテストモード移行処理は、ヘッドフォン等のコネクタがテレビ１に差し込まれている場合であっても有効であるとする。
【００６１】
（テストモードの終了方法について）
次に、図４を参照して、テレビ１におけるテストモードの終了方法（テストモードからログアウトする方法）について説明する。図４は、テレビ１におけるテストモードの終了（ログアウト）の流れを示すフローチャートである。
【００６２】
図４に示すように、テレビ１がテストモードに移行した後（テストモード実行中）であるとき、テストモード処理部１３１は、指示受付部１２がテレビ１の複数のキー（本体キー）の何れかの押下を受け付けたか否かを確認する（Ｓ４１）。
【００６３】
指示受付部１２がテレビ１の本体キーの何れの押下も受け付けていない場合（Ｓ４１にてＮｏ）、テストモード処理部１３１は、リモコン２からのリモコンコードを所定の期間（例えば、１０分以上）受信していないか（タイムアウトしたか）を確認する（Ｓ４２）。なお、タイムアウトする期間（本例では１０分）はこれに限定されず、任意の期間であってもよい。
【００６４】
リモコンコードを１０分より短い期間内に受信している場合（Ｓ４２にてＮｏ）、つまり、タイムアウトしていない場合、テストモード処理部１３１は、所定の期間後にテレビ１にイベントが発生するか否かを確認する（Ｓ４３）。
【００６５】
ここで、イベントとは、予めテレビ１に設定されたイベントであって、自動的、または、外部からの要因で実行されるイベントである。イベントの例としては、無操作または無信号による電源オフ、電源オフタイマーによる電源オフ、視聴予約の実行、ＣＥＣ（Consumer Electronics Control）コマンドによる電源オフまたは入力切換等が挙げられるが、これらに限定されるものではない。
【００６６】
テストモード処理部１３１は、所定の期間後にテレビ１にイベントが発生しない場合（Ｓ４３にてＮｏ）、再度Ｓ４１を確認する。
【００６７】
指示受付部１２がテレビ１の本体キーの何れかの押下を受け付けた場合（Ｓ４１にてＹｅｓ）またはリモコン２からのリモコンコードを１０分以上受信していない場合（Ｓ４２にてＹｅｓ）、テストモード処理部１３１は、テレビ１をテストモードからログアウトさせ（Ｓ４４）、テレビ１をテストモードへ移行させる前のモードに移行させる。または、所定の期間後にテレビ１にイベントが発生する場合（Ｓ４３にてＹｅｓ）、テストモード処理部１３１は、イベントが実行される前の所定の期間内にテレビ１をテストモードからログアウトさせ（Ｓ４４）、テレビ１をテストモードへ移行させる前のモードに移行させる。その後、テレビ１は、そのイベントの動作を実行する。
【００６８】
このように、本実施形態において、テレビ１のテストモードからのログアウトは、テレビ１に備えられた複数のキーの何れかによる操作を受け付けたとき、タイムアウトしたとき、または、イベントの実行前の所定の期間内に行われる。
【００６９】
テレビ１に備えられた複数のキーの何れかによる操作を受け付けたとき、テレビ１は、押下した本体キーに対する動作を行わず、テストモードからのログアウトのみ行う。例えば、テレビ１の電源キーが押下された場合、テレビ１は、電源オフの動作を行わず、テストモードからのログアウトを行う。また、テレビ１は、例えば、電源キーについては、当該キーの動作（電源キーの場合、電源オフ）を行い、そのほかの本体キーについては、テストモードからのログアウトを行う構成であってもよい。
【００７０】
また、図４のフローチャートにおいて、Ｓ４１からＳ４３の処理は、どの順に実行されてもよく、例えば、Ｓ４１の前に、Ｓ４３が実行されてもよい。
【００７１】
このように、テレビ１は、容易に、テレビ１をテストモードから、テストモードへ移行する前のモードに移行させることができる。
【００７２】
（テストモード状態におけるテレビ１の処理について）
次に、図５および図６を参照して、テレビ１におけるテストモード移行後（テストモード状態）の処理について説明する。図５は、テストモード状態におけるテレビ１の処理の流れを示すフローチャートである。また、図６は、テストモード状態において、表示部１５に表示される画面の一例を示す図である。
【００７３】
テレビ１がテストモードに移行すると、表示部１５には、図６に示すような画面が表示される。具体的には、テストモード処理部１３１は、表示制御部１４に対し、表示部１５に、テストモードである旨を示す文字列（図６においては、「リモコンテストモード」）を表示するよう指示する。そして、表示制御部１４は、表示部１５に「リモコンテストモード」を表示させる（Ｓ５１）。
【００７４】
次に、本体設定確認部１３３は、管理している設定情報からテレビ１に設定されたリモコン番号を確認する（Ｓ５２）。そして、テストモード処理部１３１は、表示制御部１４に対し、表示部１５にテレビ１に設定されたリモコン番号を表示するよう指示する。表示制御部１４は、図６に示すように、表示部１５に文字列「本機のリモコン番号設定」と共に、リモコン番号（図６においては、リモコン番号１）を表示させる（Ｓ５３）。
【００７５】
次に、本体設定確認部１３３は、管理している設定情報から、テレビ１に、リモコン２による操作の少なくとも何れか、または、テレビ１に備えられた複数のキーによる操作の少なくとも何れかを無効とするチャイルドロック（操作無効機能）の設定（チャイルドロックモード）がされているかを確認する（Ｓ５４）。そして、テストモード処理部１３１は、表示制御部１４に対し、表示部１５にテレビ１に設定されたチャイルドロック設定の内容を表示するよう指示する。表示制御部１４は、図６に示すように、表示部１５に文字列「チャイルドロック設定」と共に、チャイルドロック設定の内容（図６においては、リモコン操作ロック）を表示させる（Ｓ５５）。このとき、テレビ１に備えられた複数のキーによる操作を無効とするチャイルドロックが設定されている場合、表示部１５には、文字列「チャイルドロック設定」と共に、例えば、「本体操作ロック」が表示される。また、チャイルドロックが設定されていない場合、表示部１５には、文字列「チャイルドロック設定」と共に、例えば、「なし」が表示される。
【００７６】
次に、テストモード処理部１３１は、リモコン受光部１１がリモコン信号を受信したか否かを確認する（Ｓ５６）。リモコン信号を受信していない場合（Ｓ５６にてＮｏ）、テストモード処理部１３１は、Ｓ５６を繰り返し、リモコン信号の受信を確認する。
【００７７】
リモコン信号を受信している場合（Ｓ５６にてＹｅｓ）、テストモード処理部１３１は、表示制御部１４に対し、表示部１５にリモコン信号を受信していることを示す受信情報（例えば、文字列「受信中」）を表示するよう指示する。表示制御部１４は、表示部１５に「受信中」を表示させる（Ｓ５７）。
【００７８】
次に、テストモード処理部１３１は、受信したリモコン信号に含まれるリモコンコードから、当該リモコン信号を送信したリモコン２の種類を判定する（Ｓ５８）。リモコン２が一般財団法人家電製品協会のフォーマットに準じたリモコンである場合（Ｓ５８にて「家製協リモコン」）、テストモード処理部１３１は、表示制御部１４に対し、表示部１５にリモコンコードとリモコン番号とを表示するよう指示する。表示制御部１４は、表示部１５にリモコンコード（図６では、「＊＊＊＊」と表示）と、リモコン番号（図６では、「リモコン番号１」と表示）とを表示させる（Ｓ５９）。
【００７９】
リモコン２がＡ社製のリモコンである場合（Ｓ５８にて「Ａ社リモコン」）、テストモード処理部１３１は、表示制御部１４に対し、表示部１５にリモコンコードを表示するよう指示する。表示制御部１４は、表示部１５にリモコンコード（図６では、「＊＊＊＊」と表示）を表示させる（Ｓ６０）。
【００８０】
ここで、テレビ１は、受信情報、リモコンコードおよびリモコン番号のように、リモコン２からのリモコン信号から得られる情報を、図６に示すように他の文字列とは異なる形態（例えば、他の文字列とは異なる色）で表示してもよい。これにより、テレビ１は、どのような情報をリモコン２から受信しているのかを、サービスパーソンに容易に把握させることができる。
【００８１】
ここでリモコンコードについて、更に詳しく説明する。ここでは、一般財団法人家電製品協会のフォーマットに準じたリモコン（家製協リモコン）とＡ社製の１５ビットのリモコン（Ａ社１５ｂｉｔリモコン）とを例に説明を行う。
【００８２】
家製協リモコンの場合のリモコンコードは、ｄａｔａ（１２ビット）およびパリティ（４ビット）の２バイトのコードである。テレビ１は、このようなリモコンコードを１６進数で表示する。例えば、電源ボタンのリモコンコードは、ｄａｔａ＝０１１０１０００１０００およびパリティ＝１０１１であるため、「６８８Ｂ」と表示される。
【００８３】
一方、Ａ社１５ｂｉｔリモコンの場合のリモコンコードは、Ａ社１５ｂｉｔリモコンであることを示す文字「Ｓ」とＳｙｓｔｅｍ（８ビット）および制御データ（８ビット）の２バイトのコードである。テレビ１は、このようなリモコンコードを１６進数で表示する。例えば、電源ボタンのリモコンコードは、Ｓｙｓｔｅｍ＝１００００および制御データ＝０１１０１０００であるため、「Ｓ１０６８」と表示される。なお、ここではＳｙｓｔｅｍのコードは右詰めで表現している。
【００８４】
なお、コードが送信されていない場合、他社（本実施形態においては、Ａ社製のリモコン以外のリモコン）のリモコンコードの場合および破損（不正）コードの場合、テレビ１は、表示部１５にリモコンコードを表示しない。
【００８５】
図５に戻り、Ｓ５９またはＳ６０の実行後、押下時間判定部１３２は、リモコン２の複数のボタンの何れかが、所定の期間長押しされているか否かを判定する（Ｓ６１）。所定の期間長押しされていない場合（Ｓ６１にてＮｏ）、テストモード処理部１３１は、表示制御部１４に対し、表示部１５に「受信中」の表示を消去するよう指示する。表示制御部１４は、表示部１５から「受信中」の表示を消去させる（Ｓ６２）。
【００８６】
所定の期間長押しされている場合（Ｓ６１にてＹｅｓ）、または、Ｓ６２後、テレビ１は、処理をＳ５６に戻す。
【００８７】
また、図６の下部に示すように、表示部１５には、テストモードからのログアウトの方法が記載されている。なお、上述したように、テストモードからのログアウトの方法はこれに限定されるものではないが、テレビ１が、図６に示すようにどのキー（図６においては、本体の音量「小」）を押下するのかを表示することにより、サービスパーソンに対し、テストモードからのログアウトの方法をより理解させやすくすることができる。
【００８８】
以上のように、本実施形態に係るテレビ１は、図６に示すように、リモコン受光部１１が受信したリモコン信号に含まれるリモコンコードと共に、本体設定確認部１３３が管理するリモコン情報、制限情報等の設定情報を表示部１５に表示する。
【００８９】
上記の構成によれば、ユーザは、リモコン２のリモコンコードだけでなく、テレビ１に設定されたリモコン情報および／または制限情報を確認することができる。よって、ユーザは、例えば、正しいリモコンコードがテレビ１に表示されているかを確認することにより、リモコンの障害を容易に確認することができる。また、ユーザは、例えば、テレビ１の動作のうちリモコン２の操作が制限されている場合、テレビ１を操作するリモコンの設定が間違っている場合等、テレビ１の設定に起因するリモコン操作時の不具合を容易に確認することができる。
【００９０】
したがって、ユーザは、リモコン操作時の不具合を、より正確且つ容易に検出することができる。
【００９１】
また、テレビ１の設定に起因するリモコン操作時の不具合を検出することにより、従来では誤って、不良扱いとなっていたリモコンを、正常なリモコンとして使用することができる。これにより、不良扱いとなるリモコンの数を減らすことができるため、コストを削減することができる。
【００９２】
更に、リモコン操作時の不具合を、より正確且つ容易に検出することができるため。サービスパーソンによるリモコン操作時の不具合の原因特定にかかる時間を削減することができる。
【００９３】
加えて、リモコン操作時の不具合および不良の傾向を簡単に確認することができるため、設計品質の維持およびα因子へのフィードバックが可能となる。
【００９４】
（実施形態２）
本発明の他の実施形態について、図７〜図１１に基づいて説明すれば、以下のとおりである。なお、説明の便宜上、前記実施形態にて説明した部材と同じ機能を有する部材については、同じ符号を付記し、その説明を省略する。
【００９５】
実施形態１では、リモコン受光部１１が受信したリモコン信号に含まれるリモコンコード等を表示部１５に表示したが、実施形態２では、リモコン信号の受信状態等を音声によっても出力する。また、リモコン信号を連続して受信している時間に応じて色を変更するバー状の受信情報（ステータスバー）、およびリモコン信号を受信しているか否かを示す画像である受信マーク９１を、表示部１５に表示する。これにより、ユーザはリモコン操作時の不具合をより正確かつ容易に検出することが可能となる。
【００９６】
（テレビ１の構成）
図７は、本発明の実施形態２に係るテレビ１の構成を示すブロック図である。図７に示すテレビ１は、実施形態１に係るテレビ１（図１）に加えて、音声制御部１７、および音声出力部（音声出力手段）１８を備えている。
【００９７】
音声制御部１７は、制御部１３からの指示に基づき、テストモードにおいて音声出力部１８に対して音声信号を供給するためのものである。
【００９８】
音声出力部１８は、音声制御部１７の制御により、音声信号に基づく音声を出力する。音声出力部１８の例としては、スピーカ、ヘッドフォン等が挙げられる。
【００９９】
なお、本明細書において、「音声」とは、特にことわりのない限り、人の声に限定されるものではなく、空気の振動により伝搬する音全般を含むものとする。
【０１００】
（テストモード状態におけるテレビ１の処理について）
次に、図８および図１０を参照して、テレビ１におけるテストモード移行後（テストモード状態）の処理について説明する。
【０１０１】
図８は、本発明の実施形態２に係るテレビ１がテストモード状態において実行する処理の流れを示すフローチャートである。テストモード状態において、リモコンテストモードの表示、リモコン番号の確認および表示、チャイルドロック設定の確認および表示については、前述した図５のＳ５１〜Ｓ５５と同じため、詳細な説明は省略する。
【０１０２】
図８において、まず、テストモード処理部１３１は、リモコン受光部１１がリモコン信号を受信したか否かを判定する（Ｓ５６）。
【０１０３】
Ｓ５６において、リモコン信号を受信していると判定した場合（Ｓ５６：Ｙｅｓ）、テストモード処理部１３１は、表示制御部１４に対し、表示部１５にリモコン信号を受信していることを示す文字列「受信中」を表示し、受信マーク９１を点滅させるよう指示する。表示制御部１４は、表示部１５に「受信中」を表示し、受信マーク９１を点滅させる（Ｓ７０）。
【０１０４】
次に、テストモード処理部１３１は、受信したリモコン信号に含まれるリモコンコードから、当該リモコン信号を送信したリモコン２の種類を判定する（Ｓ７１）。
【０１０５】
Ｓ７１において、リモコン２がＡ社製のリモコンであると判定した場合（Ｓ７１：「Ａ社リモコン」）、テストモード処理部１３１は、表示制御部１４に対し、表示部１５にリモコン番号およびリモコンコードを表示するよう指示する。表示制御部１４は、表示部１５にリモコン番号およびリモコンコードを表示させる（Ｓ７３）。
【０１０６】
続いて、テストモード処理部１３１は、リモコン番号およびチャイルドロック設定を確認する処理を行う（Ｓ７４）。Ｓ７４の処理の詳細については、後述する。そして、テストモード処理部１３１は、リモコン番号およびチャイルドロック設定は正しかったか、つまり、リモコン２が正常に動作する設定であったか否かを判定する（Ｓ７５）。
【０１０７】
Ｓ７５において、リモコン番号およびチャイルドロック設定が正しかったと判定した場合（Ｓ７５：Ｙｅｓ）、押下時間判定部１３２は、リモコン２の複数のボタンの何れかが、所定の期間長押しされているか否かを判定する（Ｓ７６）。
【０１０８】
Ｓ７６において、所定の期間長押しされていると判定した場合（Ｓ７６：Ｙｅｓ）、テストモード処理部１３１は、表示制御部１４に対し、ステータスバーの右端（端部）９０を一定の方向（例えば右向き）に移動させる処理を行うよう指示し、音声制御部１７に対し、「ピー」という長音を出力するよう指示する（Ｓ７８）。表示制御部１４は、表示部１５に表示するステータスバーの右端９０を一定の方向に移動させる。また、音声制御部１７は、音声出力部１８に「ピー」という長音を出力させる。この場合に、表示部１５に表示される画面を、図１０（ａ）に示す。
【０１０９】
図１０（ａ）は、リモコン２が正常に動作する設定において、リモコン２の何れかのボタンが長押しされている場合に表示部１５に表示される画面の一例である。図１０（ａ）において、Ｓ７０において実行されたように、受信マーク９１が点滅し、「受信中」の文字列が表示されている。そして、Ｓ７８において実行されたように、長押ししている間、ステータスバーの右端９０は右側に移動する。ここで、ステータスバーの右端９０の左側と右側とでは異なる色で表示される。ステータスバーの右端９０は、バーの右端に辿り着くと、バーの左端に移動し、再び右側に動き始める。つまり、ステータスバーの右端９０は、リモコンのボタンが長押しされている間、右側（一定方向）に移動し、バーの右端に辿り着くと、バーの左端に戻るという動作を繰り返し行う。また、テレビ１は、図１０（ａ）の画面を表示している間、「ピー」という長音を出力する。したがってユーザは、テレビ１はリモコン信号を正常に受信しているということを容易に認識することができる。なお、ステータスバーの右端９０の左側の色、および受信マーク９１の点滅する色は任意であるが、黄色のように目立つ色が好ましい。
【０１１０】
図８に戻り、Ｓ７６において、所定の期間長押しされていないと判定した場合（Ｓ７６：Ｎｏ）、テストモード処理部１３１は、単発でリモコン信号を受信したことを示すため、音声制御部１７に対して、「ピッ」という短音を出力するよう指示する。また、表示制御部１４に対して、表示していた「受信中」の表示の消去、点滅していた受信マーク９１の白色表示、およびステータスバーのリセット（ステータスバーの右端９０を、バーの左端に戻すこと）を指示する。そして、音声制御部１７は、音声出力部１８に「ピッ」という短音を出力させる。また、表示制御部１４は、表示部１５に「受信中」の表示の消去、受信マーク９１の白色表示、およびステータスバーのリセットをさせる（Ｓ７７）。
【０１１１】
また、Ｓ７５において、リモコン番号およびチャイルドロック設定が正しくなかったと判定した場合（Ｓ７５：Ｎｏ）、テストモード処理部１３１は、再びリモコン信号を受信したか否かを判定するため、Ｓ５６の処理に戻る。Ｓ７７の処理実行後、およびＳ７８の処理を実行後も、テストモード処理部１３１は、Ｓ５６の処理に戻る。
【０１１２】
また、Ｓ７１において、リモコン２が一般財団法人家電製品協会のフォーマットに準じたリモコンであると判定した場合（Ｓ７１：「家製協リモコン」）、テストモード処理部１３１は、表示制御部１４に対し、表示部１５にリモコンコードとリモコン番号とを表示するよう指示する。表示制御部１４は、表示部１５にリモコンコードとリモコン番号とを表示させる（Ｓ７２）。そして、押下時間判定部１３２が、リモコン２の複数のボタンの何れかが、所定時間長押しされている否かを判定するため、Ｓ７６に進む。
【０１１３】
また、Ｓ５６において、リモコン信号を受信していないと判定した場合（Ｓ５６：Ｎｏ）、テストモード処理部１３１は、表示制御部１４に対して、リモコン信号を受信していないことを示す画像（無受信状態を示す画像）を表示するよう指示する。表示制御部１４は、テストモード処理部１３１からの指示に基づき、上記無受信状態を示す画像として、「無受信状態です  リモコンのボタンを押してください」のようにリモコン信号を受信していないことを示す文字列の表示、及び、受信マーク９１の白色表示の少なくとも何れかを表示部１５に行わせる（Ｓ７９）。ここで、上記無受信状態を示す画像には、上記の例のように、ユーザに対してリモコンのボタンを押下することを促す文字列が含まれていてもよい。テストモード処理部１３１は、Ｓ７９の処理を実行すると、Ｓ５６に戻り、リモコン信号の受信を確認する。リモコン信号を受信していない場合に、表示部１５に表示される画面を図１０（ｂ）に示す。
【０１１４】
図１０（ｂ）は、テレビ１がリモコン信号を受信していない場合に表示部１５に表示される画面の一例である。図１０（ｂ）において、受信マーク９１が点滅表示されずに白色表示されている。また「無受信状態です  リモコンのボタンを押してください」の文字列が表示されている。そして、図１０（ｂ）の画面を表示している間、音声は出力されない。したがってユーザは、テレビ１はリモコン信号を受信していないということを容易に認識することができる。
【０１１５】
また、前述した図４の、テストモード処理部１３１がリモコン２からのリモコンコードを所定の期間（例えば、１０分以上）受信していないか（タイムアウトしたか）を確認するＳ４２において、所定の期間（本例では１０分）が経過する前に、一定間隔で音声を出力してもよい。例えば、１分間コードを受信しなかったら、テストモード処理部１３１は、音声制御部１７に対して、「ピッピッ」という連続する短音を出力するよう指示する。そして、音声制御部１７は、音声出力部１８から「ピッピッ」という音を出力させる。この処理は、その後、１分経過するごとに、最大３回まで実行されるが、実行されるまでの時間や回数は、これに限定されず、適宜設定しておくことができる。また、テストモード処理部１３１は、「ピッピッ」という音とともに、表示制御部１４に対して、画面に表示している「リモコンのボタンを押してください」の表示を点滅させ、ユーザに対してリモコンのボタンを押下することを促すような画像を表示するよう指示してもよい。
【０１１６】
（リモコン番号およびチャイルドロック設定を確認する処理）
上述した図８のＳ７４の処理の詳細について、図９および図１１を用いて説明する。
【０１１７】
図９は、本発明の実施形態２に係るテレビ１がテストモード状態において、リモコン番号およびチャイルドロック設定を確認する処理の流れを示すフローチャートである。
【０１１８】
まず、テストモード処理部１３１は、本体設定確認部１３３から取得したテレビ１に設定されたリモコン番号と、受信したリモコン信号に含まれるリモコン番号とが一致しているか否かを判定する（Ｓ８０）。
【０１１９】
Ｓ８０において、テレビ１に設定されたリモコン番号と受信したリモコン信号に含まれるリモコン番号とが一致していないと判定した場合（Ｓ８０：Ｎｏ）、テストモード処理部１３１は、リモコン番号が一致していないことを示すため、表示制御部１４に対して、リモコン２に設定されているリモコン番号の表示の横に注目を促すマーク「！」を表示させるよう指示する。表示制御部１４は、表示部１５に「！」を表示させる（Ｓ８２）。
【０１２０】
続いて、テストモード処理部１３１は、リモコン番号が一致していないことを音声によっても示すために、音声制御部１７に対して「ピピッ」という連続する短音を出力するよう指示する。音声制御部１７は、音声出力部１８に「ピピッ」という音を出力させる（Ｓ８４）。この場合に、表示部１５に表示される画面を、図１１（ａ）に示す。
【０１２１】
図１１（ａ）は、テレビ１に設定されたリモコン番号と、リモコン２に設定されたリモコン番号とが一致していない場合に表示部１５に表示される画面の一例である。図１１（ａ）において、受信マーク９１が点滅し、「受信中」の文字列が表示されているので、ユーザは、テレビ１はリモコン信号を受信しているということを認識することができる。一方、リモコン２に設定されているリモコン番号の表示の横に注目を促すマーク「！」が表示され、その画面の表示とともに、「ピピッ」という音声が出力される。これにより、ユーザは、リモコン操作に不具合があり、テレビ１に設定されたリモコン番号（図１１（ａ）におけるリモコン番号１）と、リモコン２に設定されたリモコン番号（図１１（ａ）におけるリモコン番号２）とが一致していないことが原因だと、認識することができる。
【０１２２】
一方、Ｓ８０において、テレビ１に設定されたリモコン番号と受信したリモコン信号に含まれるリモコン信号とが一致していると判定した場合（Ｓ８０：Ｙｅｓ）、テストモード処理部１３１は、本体設定確認部１３３から取得したチャイルドロック設定が「リモコン操作ロック」になっているか否かを判定する（Ｓ８１）。
【０１２３】
Ｓ８１において、チャイルドロック設定が「リモコン操作ロック」になっていると判定した場合（Ｓ８１：Ｙｅｓ）、テストモード処理部１３１は、チャイルドロック設定が「リモコン操作ロック」になっていることを示すために、表示制御部１４に対して、チャイルドロック設定の内容の表示の横に注目を促すマーク「！」を表示させるよう指示する。表示制御部１４は、表示部１５に「！」を表示させる（Ｓ８３）。そして、テストモード処理部１３１は、チャイルドロック設定が「リモコン操作ロック」になっていることを音によっても示すために、Ｓ８４に進む。この場合に表示部１５に表示される画面を、図１１（ｂ）に示す。
【０１２４】
図１１（ｂ）は、テレビ１のチャイルドロック設定としてリモコン操作ロックが設定されている場合に表示部１５に表示される画面の一例である。図１１（ｂ）において、受信マーク９１が点滅し、「受信中」の文字列が表示されているので、ユーザは、テレビ１はリモコン信号を受信しているということを認識することができる。一方、チャイルドロック設定の内容の横に「！」が表示され、その画面の表示とともに、「ピピッ」という音声が出力される。これにより、ユーザは、リモコン操作に不具合があり、テレビ１に設定されたチャイルドロック設定がリモコン操作ロックであることが原因だと、認識することができる。
【０１２５】
このように、本実施形態においては、まず、リモコン信号を受信すると、テレビ１は、「ピッ」、「ピピッ」、及び「ピー」といった短音、連続する短音、及び長音の何れかの音声を出力する。これにより、ユーザは直感的に、リモコン信号をテレビ１が受信していることを知ることができる。続いて、テレビ１の設定やリモコン２の設定等に応じて出力される音声および表示される画面によって、ユーザは正確かつ容易にリモコン操作時の不具合を検出することができる。また、テレビ１は、リモコン信号を受信していない場合においても、一定間隔で音声を出力することにより、ユーザはテレビ１がリモコン信号を受信していないことを容易に認識することができる。
【０１２６】
また、リモコン操作時の不具合を、より正確且つ容易に検出することができるため、サービスパーソンによるリモコン操作時の不具合の原因特定にかかる時間を削減することができる。
【０１２７】
（実施形態３）
本発明の他の実施形態について、図１２に基づいて説明すれば、以下のとおりである。なお、説明の便宜上、前記実施形態にて説明した部材と同じ機能を有する部材については、同じ符号を付記し、その説明を省略する。
【０１２８】
実施形態２において、テストモード処理部１３１は、リモコン信号を受信後、長押しされているか否か（Ｓ７６）の後に音声を出力したが、リモコン信号を受信後に音声を出力してもよい。
【０１２９】
図１２は、本発明の実施形態３に係るテレビがテストモード状態において実行する処理の流れを示すフローチャートである。
【０１３０】
まず、テストモード処理部１３１は、リモコン受光部１１がリモコン信号を受信したか否かを判定する（Ｓ５６）。Ｓ５６において、リモコン信号を受信していないと判定した場合（Ｓ５６：Ｎｏ）、無受信状態を示す画像を表示するＳ７９は上述した実施形態２における処理と同じため、詳細な説明は省略する。
【０１３１】
Ｓ５６において、リモコン信号を受信していると判定した場合（Ｓ５６：Ｙｅｓ）、押下時間判定部１３２は、リモコン２の複数のボタンの何れかが、所定時間長押しされているか否かを判定する（Ｓ９１）。
【０１３２】
Ｓ９１において、リモコン２の複数のボタンの何れかが、所定時間長押しされていないと判定した場合（Ｓ９１：Ｎｏ）、テストモード処理部１３１は、単発でリモコン信号を受信したことを示すため、音声制御部１７に対して、「ピッ」という短音を出力するよう指示する。また、表示制御部１４に対して、受信マーク９１を点灯させるよう指示する。音声制御部１７は、音声出力部１８から「ピッ」という短音を出力させ、表示制御部１４は、表示部１５に受信マーク９１を点灯させる（Ｓ９２）。そして、テストモード処理部１３１は、表示制御部１４に対し、表示部１５にリモコン信号を受信していることを示す文字列「受信中」を表示するよう指示する。表示制御部１４は、表示部１５に「受信中」を表示する（Ｓ９３）。
【０１３３】
一方、Ｓ９１において、リモコン２の複数のボタンの何れかが、所定時間長押しされていると判定した場合（Ｓ９１：Ｙｅｓ）、テストモード処理部１３１は、音声制御部１７に対し、「ピー」という長音を出力するよう指示し、表示制御部１４に対し、受信マーク９１を点滅させ、ステータスバーを動かす処理をするよう指示する。音声制御部１７は、音声出力部１８から「ピー」という長音を出力させ、表示制御部１７は、表示部１５に受信マーク９１を点滅させ、ステータスバーの右端９０を一定方向（例えば右向き）に移動させる。そして、テストモード処理部１３１は、リモコン信号を受信していることを示す文字列「受信中」を表示するため、Ｓ９３に進む。
【０１３４】
Ｓ９３の処理後、テストモード処理部１３１がリモコンの種類を判定し、判定結果に応じた処理をするＳ７１〜Ｓ７５については、上述した実施形態２における処理と同じため、詳細な説明は省略する。そして、Ｓ７１〜７５の処理後、押下時間判定部１３２は、リモコン２の複数のボタンの何れかが、所定時間長押しされているか否かを判定する（Ｓ７６）。
【０１３５】
Ｓ７６において、リモコン２の複数のボタンの何れかが、所定時間長押しされていないと判定した場合（Ｓ７６：Ｎｏ）、テストモード処理部１３１は、表示制御部１７に対し、「受信中」表示を消去、受信マーク９１を白色表示、およびステータスバーをリセットするよう指示する。表示制御部１４は、表示部１５に「受信中」の表示の消去、受信マーク９１の白色表示、およびステータスバーのリセットをさせる（Ｓ９５）。そして、テストモード処理部１３１は、リモコン受光部１１がリモコン信号を受信したか否かを判定するため、Ｓ５６の処理に進む。
【０１３６】
一方、Ｓ７６において、リモコン２の複数のボタンの何れかが、所定時間長押しされていると判定した場合（Ｓ７６：Ｙｅｓ）、テストモード処理部１３１は、リモコン受光部１１がリモコン信号を受信したか否かを判定するため、Ｓ５６の処理に進む。
【０１３７】
このように、本実施形態においては、まず、リモコン信号を受信すると、テレビ１は単発でリモコン信号を受信したことを示す「ピッ」という短音、または長押しでリモコン信号を受信したことを示す「ピー」という長音を出力する。よって、ユーザは、リモコン信号をテレビ１が受信していること直感的に知ることができる。
【０１３８】
また、リモコン操作時の不具合を、より正確且つ容易に検出することができるため、サービスパーソンによるリモコン操作時の不具合の原因特定にかかる時間を削減することができる。
【０１３９】
（実施形態４）
本発明の他の実施形態について、以下に説明する。なお、説明の便宜上、前記実施形態にて説明した部材と同じ機能を有する部材については、同じ符号を付記し、その説明を省略する。
【０１４０】
実施形態２，３において、テレビ１が出力する音声は「ピッ」、「ピピッ」、「ピッピッ」、及び「ピー」といった短音、連続する短音、及び長音であったが、実施形態３では、出力される音声を、人工音声を出力することにより、ユーザはより正確かつ容易にリモコン操作時の不具合を検出することが可能となる。
【０１４１】
（リモコン信号の受信状態を知らせる人工音声）
テレビ１がリモコン信号を単発または長押しによって受信した場合、テストモード処理部１３１は、「ピンポーン  受信しています」のように、リモコン信号を受信していることを示す人工音声を出力するよう、音声制御部１７に指示する。音声制御部１７は、音声出力部１８から「ピンポーン  受信しています」という人工音声を出力させる。これにより、ユーザは、テレビ１がリモコン信号を正常に受信しているということをより容易に認識することができる。
【０１４２】
また、テレビ１がリモコン信号を受信していない場合、テストモード処理部１３１は、所定の期間が経過する前に、一定間隔で「コードを受信していません」のように、リモコン信号を受信していないことを示す人工音声を出力するよう、音声制御部１７に指示する。音声制御部１７は、音声出力部１８から「コードを受信していません」という人工音声を出力させる。これにより、ユーザは、テレビ１がリモコン信号を受信していないということをより容易に認識することができる。
【０１４３】
（ステータスを知らせる人工音声）
テレビ１に設定されたリモコン番号と、受信したリモコン信号に含まれるリモコン番号とが一致していない場合、例えば、リモコン２に設定されたリモコン番号が１、テレビ１に設定されたリモコン番号が２であった場合、テストモード処理部１３１は、「ピピッ  リモコン番号が不一致です  リモコンが１  テレビが２です」のように、リモコン番号が不一致であることを示す人工音声、及びリモコン側のリモコン番号とテレビ側のリモコン番号とを示す人工音声を出力するよう、音声制御部１７に指示する。音声制御部１７は、音声出力部１８から「ピピッ  リモコン番号が不一致です  リモコンが１  テレビが２です」という人工音声を出力させる。これにより、ユーザは、テレビ１に設定されたリモコン番号とリモコンに設定されたリモコン番号が一致していないことを、容易に認識することができる。
【０１４４】
また、テレビ１に設定されたチャイルドロック設定がリモコン操作ロックであった場合、テストモード処理部１３１は、「ピピッ  チャイルドロック設定を解除ください」のようにチャイルドロック設定を解除することを促す人工音声を出力するよう、音声制御部１７に指示する。音声制御部１７は、音声出力部１８から「ピピッ  チャイルドロック設定を解除ください」という人工音声を出力させる。これにより、ユーザは、テレビ１に設定されたチャイルドロック設定がリモコン操作ロックであるということを、容易に認識することができる。
【０１４５】
このように、本実施形態においては、リモコン信号の受信状態やステータスを具体的に知らせる人工音声によって出力する。これによりユーザは、より正確かつ容易にリモコン操作時の不具合を検出することができる。
【０１４６】
〔まとめ〕
本発明の一態様に係る表示装置は、リモートコントローラによって操作される表示装置（テレビ１）であって、上記リモートコントローラからのリモコン信号を受信する受信手段（リモコン受光部１１）と、当該表示装置に設定された設定情報であって、当該表示装置を操作可能なリモートコントローラを示すリモコン情報および当該表示装置の動作を制限する制限情報のうち少なくとも何れかの設定情報を管理する設定情報管理手段（本体設定確認部１３３）と、上記受信手段が受信したリモコン信号に含まれるリモコンコードと共に、上記設定情報管理手段が管理する上記設定情報を表示部に表示する表示制御手段（表示制御部１４）と、を備えている。
【０１４７】
上記の構成によれば、表示部に、受信手段が受信したリモコン信号に含まれるリモコンコードと共に、設定情報管理手段が管理する設定情報が表示されるので、ユーザは、リモートコントローラのリモコンコードと共に、表示装置に設定されたリモコン情報および／または制限情報を確認することができる。よって、ユーザは、正しいリモコンコードが表示装置に表示されているかを確認することができる。また、ユーザは、例えば、表示装置の動作が制限されている、表示装置において当該表示装置を操作するリモートコントローラの設定が間違っている場合等、表示装置の設定に起因するリモートコントローラの操作時の不具合を容易に確認することができる。
【０１４８】
したがって、ユーザは、リモートコントローラの操作時の不具合を、より正確且つ容易に検出することができる。
【０１４９】
さらに、本発明の一態様に係る表示装置の上記表示制御手段は、上記受信手段が上記リモコン信号を受信している間、当該リモコン信号を受信していることを示す受信情報を上記リモコンコードと共に上記表示部に表示することが好ましい。
【０１５０】
上記の構成によれば、表示部に、受信手段が上記リモコン信号を受信している間、当該リモコン信号を受信していることを示す受信情報がリモコンコードと共に表示されているので、ユーザは、より容易に表示装置がリモコン信号を受信しているか否かを確認することができる。また、ユーザがリモートコントローラを操作していない状態において、表示装置がリモコン信号を受信しているという不具合を容易に検出することができる。
【０１５１】
さらに、上記受信情報としてステータスバーを上記表示部に表示すると共に、上記受信手段が上記リモコン信号を受信している間、当該ステータスバーの端部（ステータスバーの右端９０）を一定方向に移動させることが好ましい。
【０１５２】
上記の構成によれば、上記表示装置は、上記受信手段が上記リモコン信号を受信している間、当該ステータスバーの端部を一定方向に移動させるので、上記リモコン信号を受信していることをユーザに対して明確に提示することができる。また、ユーザは、表示装置がリモコン信号を受信しているか否かと容易に確認することができる。
【０１５３】
さらに、本発明の一態様に係る表示装置において、上記表示制御手段は、上記受信手段が上記リモコン信号を受信していない場合、当該リモコン信号を受信していないことを示す画像を上記表示部に表示することが好ましい。
【０１５４】
上記の構成によれば、上記表示装置は、リモコン信号を受信していない場合、受信していないことを示す画像を明確に提示することができる。また、ユーザは、リモートコントローラ操作時の不具合を、容易に検出することができる。
【０１５５】
さらに、本発明の一態様に係る表示装置は、上記受信手段が上記リモコン信号を受信している間、当該リモコン信号を受信していることを示す音声を出力する音声出力手段をさらに備えることが好ましい。
【０１５６】
上記の構成によれば、上記表示装置は、上記受信手段が上記リモコン信号を受信している間、音声を出力するので、上記リモコン信号を受信していることをユーザに対して明確に提示することができる。また、ユーザは、直感的に表示装置がリモコン信号を受信していると認識することができる。
【０１５７】
さらに、本発明の一態様に係る表示装置は、上記受信手段が受信したリモコン信号に含まれるリモコン情報が、上記設定情報に含まれるリモコン情報に一致するか否かを判定する判定手段をさらに備え、上記音声出力手段は、上記判定手段により一致しないと判定された場合に、音声を出力することが好ましい。
【０１５８】
上記の構成によれば、上記表示装置は、リモートコントローラに設定された情報と、表示装置に設定された情報とが一致しない場合、音声を出力するので、リモートコントローラに設定された情報と、表示装置とに設定された情報とが一致していないことをユーザに対して明確に提示することができる。また、ユーザは、リモートコントローラの操作時の不具合を、より正確且つ容易に検出することができる。
【０１５９】
さらに、本発明の一態様に係る表示装置において、上記制限情報とは、上記リモートコントローラによる複数の操作の少なくとも何れか、または上記表示装置に備えられた複数のキーによる操作の少なくとも何れかを無効とする操作無効機能（チャイルドロック）の設定を示す情報であることが好ましい。
【０１６０】
上記の構成によれば、表示部に表示される設定情報が上記リモートコントローラによる複数の操作の少なくとも何れか、または上記表示装置に備えられた複数のキーによる操作の少なくとも何れかを無効とする操作無効機能（チャイルドロック）の設定を示す制限情報であれば、ユーザは、操作無効機能が設定されているか否かを簡単に確認することができる。よって、ユーザは、操作無効機能が設定されていることに起因するリモートコントローラの操作時の不具合を、容易に検出することができる。
【０１６１】
さらに、本発明の一態様に係る表示装置は、上記表示装置に備えられた複数のキーのうち、特定のキーの入力により、当該表示装置を、上記リモートコントローラの状態を確認するためのテストモードへ移行させる移行手段（テストモード処理部１３１）を更に備え、上記表示制御手段は、上記移行手段が、上記テストモードへ当該表示装置を移行させた後に、上記リモコンコードと上記設定情報とを上記表示部に表示することが好ましい。
【０１６２】
上記の構成によれば、表示部に、リモコンコードと設定情報とが表示されるタイミングが、リモートコントローラの状態を確認するためのテストモードへ移行した後になるので、上記表示装置は、当該表示装置を上記テストモードに移行させるだけで、上記リモートコントローラの状態を容易にユーザに確認させることができる。
【０１６３】
さらに、本発明の一態様に係る表示装置の上記移行手段は、上記複数のキーの何れかによる操作を受け付けた場合、上記テストモードから上記テストモードへ移行する前のモードに上記表示装置を移行させることが好ましい。
【０１６４】
上記の構成によれば、上記表示装置は、表示装置に備えられた複数のキーの何れかが操作されるだけで、容易に、当該表示装置をテストモードから、テストモードへ移行する前のモードに移行させることができる。
【０１６５】
さらに、本発明の一態様に係る表示装置の上記移行手段は、当該表示装置が上記テストモードへ移行後、上記リモコン信号を所定の期間受信しなかった場合、上記テストモードから上記テストモードへ移行する前のモードに上記表示装置を移行させる構成であってもよい。
【０１６６】
また、本発明の一態様に係る表示装置の上記移行手段は、予め当該表示装置に設定されたイベントが実行される前の所定の期間内に、上記テストモードから上記テストモードへ移行する前のモードに上記表示装置を移行させる構成であってもよい。
【０１６７】
上記表示装置は、上記の構成で規定したように、所定の期間経過後、あるいは所定の期間内に、テストモードから上記テストモードへ移行する前のモードに上記表示装置を移行させるようになっているため、キー操作をすることなく、容易に、当該表示装置をテストモードから、テストモードへ移行する前のモードに移行させることができる。
【０１６８】
本発明の一態様に係る表示装置の制御方法は、リモートコントローラによって操作される表示装置の制御方法であって、上記リモートコントローラからのリモコン信号を受信する受信工程と、当該表示装置に設定された設定情報であって、当該表示装置を操作可能なリモートコントローラを示すリモコン情報および当該表示装置の動作を制限する制限情報のうち少なくとも何れかの設定情報を管理する設定情報管理工程と、上記受信工程において受信したリモコン信号に含まれるリモコンコードと共に、上記設定情報管理工程において管理している上記設定情報を表示部に表示する表示制御工程と、を含んでいることを特徴としている。
【０１６９】
上記構成によれば、本発明の一様態にかかる表示装置と同様の効果を奏する。
【０１７０】
また、上記表示装置を含むテレビジョン受像機、上記表示装置を動作させる制御プログラム、および、そのような制御プログラムが記録された記録媒体も、本発明の範疇に含まれる。
【０１７１】
本発明は上述した実施形態に限定されるものではなく、請求項に示した範囲で種々の変更が可能であり、明細書中に開示された技術的手段を適宜組み合わせて得られる実施形態についても本発明の技術的範囲に含まれる。さらに、実施形態に開示された技術的手段を組み合わせることにより、新しい技術的特徴を形成することができる。
【０１７２】
〔ソフトウェアによる実現例〕
最後に、テレビ１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１７３】
後者の場合、テレビ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１の制御プログラムのプログラムコード（実行形式プログラム、中間コードプログラム、ソースプログラム）をコンピュータで読み取り可能に記録した記録媒体を、上記テレビ１に供給し、そのコンピュータ（またはＣＰＵやＭＰＵ）が記録媒体に記録されているプログラムコードを読み出し実行することによっても、達成可能である。
【０１７４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１７５】
また、テレビ１を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（登録商標）（Digital Living Network Alliance）、携帯電話網、
衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１７６】
本発明は、リモコンによって操作されるテレビジョン受像機等の表示装置に広く利用することができる。
【符号の説明】
【０１７７】
１  テレビ（テレビジョン受像機、表示装置）
１１  リモコン受光部（受信手段）
１２  指示受付部
１３  制御部
１３１  テストモード処理部（移行手段、判定手段）
１３２  押下時間判定部
１３３  本体設定確認部（設定情報管理手段）
１３４  ボリューム調整部
１４  表示制御部（表示制御手段）
１５  表示部
１６  ボリュームキー（キー）
１７  音声制御部
１８  音声出力部（音声出力手段）
２  リモートコントローラ（リモコン）
【図１】
2014103659.tif 000003
【図２】
2014103659.tif 000004
【図３】
2014103659.tif 000005
【図４】
2014103659.tif 000006
【図５】
2014103659.tif 000007
【図６】
2014103659.tif 000008
【図７】
2014103659.tif 000009
【図８】
2014103659.tif 000010
【図９】
2014103659.tif 000011
【図１０】
2014103659.tif 000012
【図１１】
2014103659.tif 000013
【図１２】
2014103659.tif 000014